【手続補正書】
【提出日】平成20年8月28日(2008.8.28)
【手続補正１】
【補正対象書類名】特許請求の範囲
【補正対象項目名】全文
【補正方法】変更
【補正の内容】
【特許請求の範囲】
【請求項１】
ハイレベル廃棄物を貯蔵するために、換気される垂直型のシステムであって、
上部、底部および略垂直向きの軸を有するキャビティを形成する内側シェルと、
前記内側シェルを取り囲む外側シェルであって、それによって内側シェルと外側シェル間の空間を形成するようにした外側シェルと、
前記内側シェル内において前記キャビティの底部またはその近傍にある少なくとも１つの開口であって、前記空間と前記キャビティ間の通路を形成する開口と、
前記内側シェルおよび前記外側シェルの上部に配置され、
周囲の雰囲気と前記空間との間に通路を形成する少なくとも１つの吸入通気口と、
キャビティと周囲の雰囲気との間に通路を形成する少なくとも１つの排出通気口と、を含む除去可能な蓋と、
を備えたシステム。
【請求項２】
密閉され、ハイレベル廃棄物の乾燥貯蔵のために適合させられた封じ込め用キャニスタをさらに備え、
当該封じ込め用キャニスタは前記キャビティ内に略垂直向きに配置され、前記キャビティの水平断面が前記キャニスタを１つのみ収容する、
請求項１に記載されたシステム。
【請求項３】
前記キャビティを取り囲み、キャビティの上部またはその近傍からキャビティの底部またはその近傍まで延びている断熱材の層をさらに備えた、
請求項２に記載されたシステム。
【請求項４】
前記内側シェルおよび前記外側シェルは略円柱形状であって、内側シェルと外側シェル間の前記空間は環状空間である、
請求項１に記載されたシステム。
【請求項５】
前記外側シェルを取り囲む放射能吸収材をさらに備え、
前記内側シェルおよび前記外側シェルの少なくとも大部分が地下にあって、
前記放射能吸収材は、地表レベルを形成する自然の土壌材または処理済み充填物である、
請求項１に記載されたシステム。
【請求項６】
前記内側および外側シェルが金属で構成されており、
システムが金属製床板をさらに備え、前記内側シェルが当該金属製床板の上部に配置され、外側シェルが金属製床板に接続され、それによって、外側シェルの底部と金属製床板との間に密閉接続を形成する、
請求項１に記載されたシステム。
【請求項７】
前記除去可能な蓋は、前記内側シェルおよび前記外側シェルの上部に配置され、それによって蓋−内側シェル間インタフェースおよび蓋−外側シェル間インタフェースを形成しており、蓋−内側シェル間インタフェースは空気流を防止するために適合させられている、
請求項１に記載されたシステム。
【請求項８】
前記蓋−内側シェル間インタフェースにおいて前記除去可能な蓋と内側シェルとの間に配置される第１シールをさらに備えた、
請求項７に記載されたシステム。
【請求項９】
密閉され、ハイレベル廃棄物の乾燥貯蔵のために適合させられた封じ込め用キャニスタをさらに備え、
当該封じ込め用キャニスタは前記キャビティ内において略垂直向きに配置され、それによって、前記キャニスタと蓋との間に上部高圧空気領域が存在し、かつ、キャニスタとキャビティの床との間に底部高圧空気領域が存在し、
内側シェル内の前記少なくとも１つの開口が前記空間と底部高圧空気領域との間の通路を形成し、
前記少なくとも１つの排出通気口が上部高圧空気領域と周囲の雰囲気との間の通路を形成している、
請求項１に記載されたシステム。
【請求項１０】
前記蓋は、プラグ部と、そのプラグ部を取り囲むフランジ部とを備え、
プラグ部は前記キャビティ内に延びており、フランジ部は前記内側および外側シェルの上部に置かれており、それによって蓋−内側シェル間インタフェースおよび蓋−外側シェル間インタフェースを形成する、
請求項１に記載されたシステム。
【請求項１１】
前記少なくとも１つの吸入通気口は、前記蓋の側壁の開口から前記空間に延びる通路であり、
前記少なくとも１つの排出通気口は、前記蓋の底面の開口から蓋の上面の開口に延びる通路である、
請求項１に記載されたシステム。
【請求項１２】
密閉され、ハイレベル廃棄物の乾燥貯蔵のために適合させられた封じ込め用キャニスタをさらに備え、
当該封じ込め用キャニスタは前記キャビティ内に略垂直向きに配置され、それによって封じ込め用キャニスタと前記内側シェルとの間に隙間が存在し、
前記空間は約１〜６インチの範囲の幅を有する、
請求項１に記載されたシステム。
【請求項１３】
前記蓋は複数の前記吸入通気口を備え、各吸入通気口は前記蓋の側壁の開口から前記空間に延びており、複数の吸入通気口の開口は蓋の側壁に対して軸対称に配置され、
前記内側シェルは前記キャビティの底部またはその近傍に複数の前記開口を備え、その開口が内側シェルの周りに軸対称で配置されている、
請求項１に記載されたシステム。
【請求項１４】
前記蓋は、凸面である上面と凹面である下面を有する第１湾曲板を備え、前記蓋はさらに、前記第１湾曲板の下方に間隔を空けて配置される第２湾曲板を備え、
前記少なくとも１つの排出通気口は、第１湾曲板と第２湾曲板との間に形成される、
請求項１に記載されたシステム。
【請求項１５】
密閉され、ハイレベル廃棄物の乾燥貯蔵のために適合させられた封じ込め用キャニスタであって、当該封じ込め用キャニスタは前記キャビティ内において略垂直向きに配置され、それによって、前記キャニスタと蓋との間に上部高圧空気領域が存在し、かつ、キャニスタとキャビティの床との間に底部高圧空気領域が存在する、封じ込め用キャニスと、
前記キャビティを取り囲み、キャビティの上部またはその近傍からキャビティの底部またはその近傍まで延びている断熱材の層と、
をさらに備え、
前記キャビティは、その水平断面が前記キャニスタを１つのみ収容し、
前記除去可能な蓋は、前記内側シェルおよび前記外側シェルの上部に配置され、それによって蓋−内側シェル間インタフェースおよび蓋−外側シェル間インタフェースを形成しており、蓋−内側シェル間インタフェースは空気流を防止するために適合させられ、
内側シェル内の前記少なくとも１つの開口が前記空間と底部高圧空気領域との間の通路を形成し、
前記少なくとも１つの排出通気口が上部高圧空気領域と周囲の雰囲気との間の通路を形成している
請求項１に記載されたシステム。
【請求項１６】
ハイレベル廃棄物を貯蔵するためのシステムであって、
ハイレベル廃棄物を受け入れるためのキャビティであって、上部および底部を有するキャビティ、を形成する、金属で構成された円筒状内側シェルと、
前記内側シェルを取り囲む外側シェルであって、それによって内側シェルと外側シェルとの間に環状空間を形成する、金属で構成された円筒状外側シェルと、
前記外側シェルの底部に密閉して接続される金属製床板であって、前記内側シェルが当該金属製床板の上部に配置される、金属製床板と、
前記内側シェル内において前記キャビティの底部またはその近傍にある少なくとも１つの開口であって、前記空間からキャビティへの通路を形成する開口と、
密閉され、ハイレベル廃棄物の乾燥貯蔵のために適合させられた封じ込め用キャニスタであって、当該封じ込め用キャニスタは前記キャビティ内において略垂直向きに配置され、前記キャビティの水平断面が前記キャニスタを１つのみ収容する、封じ込め用キャニスタと、
前記内側および外側シェルの上部に配置される蓋であって、それによって、密閉された蓋−内側シェル間インタフェースおよび蓋−外側シェル間インタフェースを形成しており、
周囲の雰囲気から前記環状空間までの通路を形成する少なくとも１つの吸入通気口と、
前記キャビティから周囲の雰囲気までの通路を形成する少なくとも１つの排出通気口と、を含む蓋と、
を備えたシステム。
【請求項１７】
ハイレベル廃棄物を貯蔵するための方法であって、
（ａ）上部および底部を有するキャビティを形成する内側シェルと、
当該内側シェルを取り囲み、それによってその間に空間を形成する外側シェルと、
前記内側シェル内において前記キャビティの底部またはその近傍にある少なくとも１つの開口であって、前記空間からキャビティへの通路を形成する開口と、
を備えた貯蔵コンテナを提供し、
（ｂ）密閉され、ハイレベル廃棄物を含むキャニスタを前記キャビティ内に配置し、
（ｃ）少なくとも１つの吸入通気口と、少なくとも１つの排出通気口とを備えた除去可能な蓋を提供し、
（ｄ）前記除去可能な蓋を前記内側および外側シェルの上部に配置し、それによって、少なくとも１つの吸入通気口が周囲の雰囲気から前記空間までの通路を形成し、少なくとも１つの排出通気口が前記キャビティから周囲の雰囲気までの通路を形成しており、さらに蓋がキャビティの上部を覆い、
（ｅ）冷気が前記少なくとも１つの吸入通気口および前記空間を通してキャビティに進入し、その冷気がハイレベル廃棄物を有する前記キャニスタから生ずる熱によってキャビティ内で暖められ、その暖気がキャビティ内を上昇し、蓋内の前記少なくとも１つの排出通気口を通してキャビティから退出する、
方法。
【請求項１８】
前記（ａ）のステップはさらに、前記内側シェルおよび前記外側シェルの少なくとも大部分が地下にあり、かつ、前記貯蔵コンテナは略垂直向きで、地下の流体の浸入に対して密閉されているようにして、前記貯蔵コンテナを提供することを含み、
前記蓋が地上に配置されている、
請求項１７に記載された方法。
【請求項１９】
前記（ｂ）のステップは、前記キャニスタ全体が地下にあるようにしてキャニスタを前記キャビティ内に沈めること、を含む、
請求項１８に記載された方法。
【請求項２０】
前記蓋は複数の前記吸入通気口を備え、各吸入通気口は前記蓋の側壁の開口から前記空間に延びており、複数の吸入通気口の開口は蓋の側壁に対して軸対称に配置され、
前記内側シェルは前記キャビティの底部またはその近傍に複数の前記開口を備え、その開口が内側シェルの周りに軸対称で配置されている、
請求項１９に記載された方法。
【請求項２１】
前記（ｅ）のステップは純粋にパッシブ方式の冷却ステップであって、前記貯蔵コンテナが強制的な流体フローの装置を備えていない、
請求項１７に記載された方法。
【請求項２２】
前記内側シェルおよび前記外側シェルは円柱形状で、かつ、金属で構成されており、
前記空間は環状空間であり、
前記キャビティは、その水平断面が前記キャニスタを１つのみ収容し、
前記貯蔵コンテナは断熱材の層をさらに備え、当該断熱材の層は、前記キャビティを取り囲み、キャビティの上部またはその近傍からキャビティの底部またはその近傍まで延びている、
請求項１７に記載された方法。
【手続補正２】
【補正対象書類名】明細書
【補正対象項目名】０００９
【補正方法】変更
【補正の内容】
【０００９】
図１は、従来技術であるＶＶＯ２を図解している。従来技術のＶＶＯ２は、平坦底部１７と、円筒状本体１２と、蓋１４とを備える。蓋１４は、複数のボルト１８によって円筒状本体１２に固定される。ボルト１８は、従来技術のＶＶＯ２が倒れたときに蓋１４が本体１２から分離することを抑制するために設けられる。底部の換気ダクト１６は円筒状本体１２の上部またはその近くに配置され、底部の換気ダクト１６は円筒状本体１２の底部またはその近くに配置される。底部の換気ダクト１６および上部の換気ダクト１５の双方は、円筒状本体１２の縁に配置される。従来技術のＶＶＯ２の全体は地上に配置されている。
【手続補正３】
【補正対象書類名】明細書
【補正対象項目名】００２０
【補正方法】変更
【補正の内容】
【００２０】
また、本発明の他の目的は、ＨＬＷを貯蔵するためのものであって、除去可能な蓋内の吸入および排出通気口の双方に対して開口を配置させるシステムと方法を提供することである。
【手続補正４】
【補正対象書類名】明細書
【補正対象項目名】００２２
【補正方法】変更
【補正の内容】
【００２２】
上記および他の目的は本発明によって達成され、いくつの実施形態において、本発明は、ハイレベル廃棄物を貯蔵するために、換気される垂直型のシステムであって、上部、底部および略垂直向きの軸を有するキャビティを形成する内側シェルと、内側シェルを取り囲む外側シェルであって、それによって内側シェルと外側シェル間の空間を形成するようにした外側シェルと、内側シェル内においてキャビティの底部またはその近傍にある少なくとも１つの開口であって、前記空間とキャビティ間の通路を形成する開口と、内側シェルおよび外側シェルの上部に配置され、周囲の雰囲気と前記空間との間に通路を形成する少なくとも１つの吸入通気口と、キャビティと周囲の雰囲気との間に通路を形成する少なくとも１つの排出通気口と、を含む除去可能な蓋と、を備える。正確な貯蔵必要性に応じて、この装置は、ハイレベル廃棄物の地上または地下貯蔵のいずれかに適合可能である。
【手続補正５】
【補正対象書類名】明細書
【補正対象項目名】００２３
【補正方法】変更
【補正の内容】
【００２３】
一実施形態において、本発明は、ハイレベル廃棄物を貯蔵するためのシステムであって、ハイレベル廃棄物を受け入れるためのキャビティであって、上部および底部を有するキャビティ、を形成する、金属で構成された円筒状内側シェルと、内側シェルを取り囲む外側シェルであって、それによって内側シェルと外側シェルとの間に環状空間を形成する、金属で構成された円筒状外側シェルと、外側シェルの底部に密閉して接続される金属製床板であって、内側シェルが金属製床板の上部に配置される、金属製床板と、内側シェル内においてキャビティの底部またはその近傍にある少なくとも１つの開口であって、前記空間からキャビティへの通路を形成する開口と、密閉され、ハイレベル廃棄物の乾燥貯蔵のために適合させられた封じ込め用キャニスタであって、当該封じ込め用キャニスタはキャビティ内において略垂直向きに配置され、キャビティの水平断面がキャニスタを１つのみ収容する、封じ込め用キャニスタと、内側および外側シェルの上部に配置される蓋であって、それによって、密閉された蓋−内側シェル間インタフェースおよび蓋−外側シェル間インタフェースを形成しており、周囲の雰囲気から環状空間までの通路を形成する少なくとも１つの吸入通気口と、キャビティから周囲の雰囲気までの通路を形成する少なくとも１つの排出通気口と、を含む蓋と、を備える。
【手続補正６】
【補正対象書類名】明細書
【補正対象項目名】００２４
【補正方法】変更
【補正の内容】
【００２４】
他の実施形態において、本発明は、ハイレベル廃棄物を貯蔵するための方法であって、（ａ）上部および底部を有するキャビティを形成する内側シェルと、内側シェルを取り囲み、それによってその間に空間を形成する外側シェルと、内側シェル内においてキャビティの底部またはその近傍にある少なくとも１つの開口であって、前記空間からキャビティへの通路を形成する開口と、を備えた貯蔵コンテナを提供し、（ｂ）密閉され、ハイレベル廃棄物を含むキャニスタをキャビティ内に配置し、（ｃ）少なくとも１つの吸入通気口と、少なくとも１つの排出通気口とを備えた除去可能な蓋を提供し、（ｄ）除去可能な蓋を内側および外側シェルの上部に配置し、それによって、少なくとも１つの吸入通気口が周囲の雰囲気から前記空間までの通路を形成し、少なくとも１つの排出通気口がキャビティから周囲の雰囲気までの通路を形成しており、さらに蓋がキャビティの上部を覆い、（ｅ）冷気が少なくとも１つの吸入通気口および前記空間を通してキャビティに進入し、その冷気がハイレベル廃棄物を有する前記キャニスタから生ずる熱によってキャビティ内で暖められ、その暖気がキャビティ内を上昇し、蓋内の少なくとも１つの排出通気口を通してキャビティから退出する方法である。
【手続補正７】
【補正対象書類名】明細書
【補正対象項目名】００３８
【補正方法】変更
【補正の内容】
【００３８】
内側シェル２２は、実質的に垂直向きの中心軸を有するキャビティ２４を形成する。このキャビティ２４の大きさと形状は本発明を限定しない。しかしながら、キャビティ２４が使用済み燃料または他のＨＬＷのキャニスタを収容可能にその大きさおよび形状が決められるようにして、内側シェル２２が選択されることが好ましい。本発明の実施には必要ないが、キャビティ２４の水平断面の大きさおよび形状は、特定のＨＬＷ貯蔵コンテナ１００と連結して使用されるキャニスタ型の水平断面の大きさおよび形状と略対応して設計されることが好ましい。より具体的には、ＨＬＷを含むキャニスタが貯蔵のためにキャビティ２４内に配置されるとき（図８に示す）、少しの隙間がキャニスタの外部側壁とキャビティ２４の側壁との間に存在するようにして、キャビティ２４の大きさおよび形状が設計されることが望ましい。キャビティ２４の水平断面は好ましくは、使用済み燃料のキャニスタを１つのみ収容する。
【手続補正８】
【補正対象書類名】明細書
【補正対象項目名】００５０
【補正方法】変更
【補正の内容】
【００５０】
複数の排出通気口３８が蓋３０内に設けられる。各排出通気口３８は、プラグ部３２の底面４０の開口３９から蓋３０の上面４２の開口４１への通路を形成する。キャップ４３が開口４１上に設けられ、雨水や岩窟が排出通気口３８に浸入および／または排出通気口３８を閉塞することを防止する。キャップ４３は、ボルト７０、または、溶接、留め金（クランピング）、タイトフィット、スクリュー等の他の適切な接続を介して蓋３０に固定される。
【手続補正９】
【補正対象書類名】明細書
【補正対象項目名】００６２
【補正方法】変更
【補正の内容】
【００６２】
蓋３０のプラグ部３２のキャビティ２４への延伸は、ＨＬＷ貯蔵コンテナ１００の全体の高さを低減するのに寄与する。プラグ部３２が遮蔽コンクリートを充填した鋼鉄で作成されるため、プラグ部３２は、ＨＬＷのキャニスタから生ずる空方向への放射能が環境へ逃げていくのを遮断する。プラグ部３２の高さは、蓋３０がその処理中に誤って落下した場合にキャビティ内に貯蔵されているＨＬＷのキャニスタの上部に接触しないようにして、設計される。これにより、上述したように、キャニスタと蓋３０の底部間における、キャビティ２４の排出空気の高圧空気領域も生成される。
【手続補正１０】
【補正対象書類名】明細書
【補正対象項目名】００６５
【補正方法】変更
【補正の内容】
【００６５】
上述したように、ＨＬＷ貯蔵コンテナ１００はＨＬＷの地上または地下貯蔵のいずれかに適合可能である。ＨＬＷの地上貯蔵に適合される場合には、ＨＬＷ貯蔵コンテナ１００はさらに、本体部２０を取り囲む放射能吸収構造物／吸収体を備える。放射能吸収構造物は、ＨＬＷキャニスタから生ずる放射能が十分に吸収または収容されるような材料と十分な厚みを有する。いくつかの実施形態では、放射能吸収構造物はコンクリートモノリスであり得る。さらに、いくつかの実施形態では、外側シェルは放射能吸収構造物自体の内壁で形成するようにしてもよい。